(57)【特許請求の範囲】
【請求項１】
箱体を含み、前記箱体の中には空き空間が設置され、前記空き空間の中には挟み機構が設置され、前記挟み機構が密封板と包装箱により五つの試験管を挟むことができ、薬が前記試験管の中の保存空間に保存され、前記挟み機構の中の密封ピストンが前記保存空間を密封でき、
前記密封板と前記包装箱の間の四つの角には摩擦パッドが固定的に設置され、前記空き空間の中には四つの緩衝ロッドが環状に等間隔に配置されるように、且つ上下にスライドできるように設置され、前記緩衝ロッドが前記摩擦パッドと接触しており且つ前記密封板と前記包装箱と連結され、前記緩衝ロッドと前記摩擦パッドとの間の摩擦力は、前記挟み機構が五つの前記試験管を挟んだ後の重量に等しいのであり、
前記緩衝ロッドの上下両端には緩衝機構が連結され、前記緩衝機構が前記緩衝ロッドの上下振動と傾斜を緩衝でき、
前記密封板の上端には手動機構がねじ山により連結され、手動で前記手動機構を制御することにより前記密封板を駆動し前記包装箱と分離でき、
前記空き空間の中には止め板が回転できるように設置され、前記止め板の中には止め板軸が固定的に連結され、前記止め板軸の左右両端が前記空き空間の左右両側内壁に回転できるように連結され、
前記箱体の上端には排気管が固定的に連結され、前記排気管の中には排気通路が貫通するように設置され、前記排気通路が前記空き空間に連通され、前記排気通路の中にはバルブが固定的に設置され、前記バルブが両方向にオープンすることができることを特徴とする医薬品の倒れ防止輸送箱。
【請求項２】
前記手動機構は前記空き空間の後側内壁に固定的に連結された支持位置制限板を含み、前記支持位置制限板の中にはねじロッドが回転できるように連結され、前記密封板の中には上方に開口したねじ山孔が設置され、前記ねじロッドの下端が前記ねじ山孔の中に延びて前記密封板にねじ山により連結され、前記支持位置制限板の上側には連結軸がスライドできるように且つ回転できるように設置され、前記連結軸の中には下方に開口した連結孔が設置され、前記連結軸の上端が前記箱体の外部まで延びており、前記連結軸の上端には手動板が固定的に連結されていることを特徴とする請求項１に記載の医薬品の倒れ防止輸送箱。
【請求項３】
前記箱体の上端には圧縮ばねが固定的に連結され、前記圧縮ばねの上端が前記手動板に当接していることを特徴とする請求項２に記載の医薬品の倒れ防止輸送箱。
【請求項４】
前記挟み機構は前記包装箱の中に設置された上方に開口した収納空間を含み、前記収納空間の中には底板が固定的に設置され、前記底板の中には上方に開口した五つの凹溝が形成され、前記底板の上端には五つの支持柱が固定的に設置され、前記支持柱の上端には挟み板が固定的に連結され、前記挟み板が前記試験管を挟み、前記試験管の下端が前記凹溝の中に延びており、これにより前記底板と前記挟み板により前記試験管を垂直に維持し、前記密封板の中には下方に開口した五つの密封孔が設置され、前記試験管の上端が前記密封孔の中に延びており、前記密封ピストンが前記密封孔の上側内壁に固定的に連結されていることを特徴とする請求項１に記載の医薬品の倒れ防止輸送箱。
【請求項５】
前記包装箱の中には上方に開口したガイド孔が左右対称に設置され、前記密封板の下端にはガイドロッドが左右対称に且つ固定的に連結され、前記ガイドロッドが前記ガイド孔に沿ってスライドできることを特徴とする請求項４に記載の医薬品の倒れ防止輸送箱。
【請求項６】
前記緩衝機構は前記緩衝ロッドの上下両端にそれぞれスライドできるように連結された緩衝箱を含み、前記緩衝箱の中には対称中心に開口した気体保存空間が設置され、前記緩衝ロッドの上下両端がそれぞれ前記気体保存空間の中に延びており、前記気体保存空間の左右両側内壁の中には換気通路が対称に且つ前記気体保存空間と連通するように設置され、前記換気通路の中には換気バルブが固定的に設置され、両側の前記換気バルブが互いに逆方向に開口しており、
前記緩衝箱において対称中心から離れた一端には連結ロッドが固定的に連結され、前記空き空間の内壁の中には八つのローラー溝が前記空き空間と連通するように形成され、前記連結ロッドがばね溝の中に延びて前記ばね溝に沿ってスライドでき、前記連結ロッドと前記ばね溝の内壁との間には緩衝ばねが固定的に連結されていることを特徴とする請求項１に記載の医薬品の倒れ防止輸送箱。
【請求項７】
前記緩衝ロッドの中には六つの前記ローラー溝が外部に開口するように形成され、前記ローラー溝の中にはガイドスライド輪が回転できるように設置され、前記ガイドスライド輪の中には固定軸が固定的に連結され、前記固定軸が前記緩衝ロッドに回転できるように連結され、
前記ガイドスライド輪の中には外部に開口した環状溝が形成され、前記気体保存空間の内壁の中には六つのガイドスライドレールが固定的に設置され、前記ガイドスライドレールが前記環状溝の中に延びていることを特徴とする請求項６に記載の医薬品の倒れ防止輸送箱。
【発明の詳細な説明】
【技術分野】
【０００１】
本発明は材料輸送分野を取り上げて、具体的には医薬品の倒れ防止輸送箱である。
【背景技術】
【０００２】
現在、病院は患者を治療する際に希少な薬物を使用することが多く、時には他の病院から輸送する必要があり、これらの薬物は希少で貴重であり、患者の治療に必要であるため、輸送中に保護する必要があり、既存の薬は通常の輸送車両で輸送され、車両が揺れると、輸送された薬剤とその容器も車両内で振動し、倒れて浪費を招き、患者の治療にも影響を与え、本願発明は上記問題を解決できる医薬品の倒れ防止輸送箱を開示する。
【先行技術文献】
【特許文献】
【０００３】
【特許文献１】中国特許出願公開第１０５８００１７８号明細書
【発明の概要】
【発明が解決しようとする課題】
【０００４】
本発明の目的は医薬品の倒れ防止輸送箱を提供し、それは上記の現在の技術中の問題を解決できる。
【課題を解決するための手段】
【０００５】
医薬品の倒れ防止輸送箱は、箱体を含み、前記箱体が輸送車両の中に固定されており、前記箱体の中には空き空間が設置され、前記空き空間の中には挟み機構が設置され、前記挟み機構が密封板と包装箱により五つの試験管を挟むことができ、薬が前記試験管の中の保存空間に保存され、前記挟み機構の中の密封ピストンが前記保存空間を密封でき、薬と前記試験管の外部環境を離隔し、前記密封板と前記包装箱の間の四つの角には摩擦パッドが固定的に設置され、前記空き空間の中には四つの緩衝ロッドが環状に等間隔に配置されるように、且つ上下にスライドできるように設置され、前記緩衝ロッドが前記摩擦パッドと接触しており且つ前記密封板と前記包装箱と連結され、前記緩衝ロッドと前記摩擦パッドとの間の摩擦力は、前記挟み機構が五つの前記試験管を挟んだ後の重量に等しいのであり、すなわち、前記緩衝ロッドと、前記密封板及び前記包装箱が相対的な静止を維持でき、前記密封板と前記包装箱が無重力または過重力作用で前記緩衝ロッドと相対的にスライドでき、最終に前記密封板と前記包装箱が前記緩衝ロッドと相対的な静止状態に戻り、前記緩衝ロッドの上下両端には緩衝機構が連結され、前記緩衝機構が前記緩衝ロッドの上下振動と傾斜を緩衝でき、これにより前記緩衝ロッドの振動と傾斜度を減少し、これにより前記挟み機構の中の前記試験管の振動と傾斜度が大き過ぎ、薬が前記保存空間から漏れることを防止し、前記密封板の上端には手動機構がねじ山により連結され、手動で前記手動機構を制御することにより前記密封板を駆動し前記包装箱と分離でき、前記空き空間の中には止め板が回転できるように設置され、前記止め板の中には止め板軸が固定的に連結され、前記止め板軸の左右両端が前記空き空間の左右両側内壁に回転できるように連結され、前記止め板が前記空き空間を閉めるまたは開けることができ、前記箱体の上端には排気管が固定的に連結され、前記排気管の中には排気通路が貫通するように設置され、前記排気通路が前記空き空間に連通され、前記排気通路の中にはバルブが固定的に設置され、前記バルブが両方向にオープンすることができ、前記バルブが前記空き空間の内部向きにオープンするとき、前記排気通路により前記空き空間の中に気体を充填でき、前記バルブが前記空き空間の外部向きにオープンするとき、前記空き空間の中の気体を排出できる。
【０００６】
有益的には、前記手動機構は前記空き空間の後側内壁に固定的に連結された支持位置制限板を含み、前記支持位置制限板の中にはねじロッドが回転できるように連結され、前記密封板の中には上方に開口したねじ山孔が設置され、前記ねじロッドの下端が前記ねじ山孔の中に延びて前記密封板にねじ山により連結され、前記支持位置制限板の上側には連結軸がスライドできるように且つ回転できるように設置され、前記連結軸の中には下方に開口した連結孔が設置され、前記連結軸の上端が前記箱体の外部まで延びており、前記連結軸の上端には手動板が固定的に連結され、前記手動板を押して前記連結軸を下方へスライドさせ、これにより前記ねじロッドの上端が前記連結孔の中に延びて前記連結軸と連結され、このとき前記手動板を回転させ、これにより前記連結軸により前記ねじロッドを回転させ、これにより前記密封板を昇降させ、前記支持位置制限板は前記ねじロッドを支持でき、且つ前記密封板が上方へスライドするときに前記密封板に対し位置制限を行うことができる。
【０００７】
優選的には、前記箱体の上端には圧縮ばねが固定的に連結され、前記圧縮ばねの上端が前記手動板に当接しており、前記手動板を放し、前記圧縮ばねの弾力作用により前記手動板を押して上方へスライドさせ、これにより前記連結軸を上方へスライドさせて前記ねじロッドとの連結から離脱させる。
【０００８】
有益的には、前記挟み機構は前記包装箱の中に設置された上方に開口した収納空間を含み、前記収納空間の中には底板が固定的に設置され、前記底板の中には上方に開口した五つの凹溝が形成され、前記底板の上端には五つの支持柱が固定的に設置され、前記支持柱の上端には挟み板が固定的に連結され、前記挟み板が前記試験管を挟み、前記試験管の下端が前記凹溝の中に延びており、これにより前記底板と前記挟み板により前記試験管を垂直に維持し、前記密封板の中には下方に開口した五つの密封孔が設置され、前記試験管の上端が前記密封孔の中に延びており、前記密封ピストンが前記密封孔の上側内壁に固定的に連結され、前記挟み板と前記底板が前記試験管を挟んだ後、前記密封板が下方へスライドして前記試験管の上端を前記密封孔の中に延びさせると同時に、前記密封ピストンが前記保存空間の中に延びて前記保存空間を密封する。
【０００９】
優選的には、前記包装箱の中には上方に開口したガイド孔が左右対称に設置され、前記密封板の下端にはガイドロッドが左右対称に且つ固定的に連結され、前記ガイドロッドが前記ガイド孔に沿ってスライドでき、これにより前記試験管の上端が前記密封孔の中に滑り込むことができ、前記試験管の上端が前記密封板とぶつかることを防止する。
【００１０】
有益的には、前記緩衝機構は前記緩衝ロッドの上下両端にそれぞれスライドできるように連結された緩衝箱を含み、前記緩衝箱の中には対称中心に開口した気体保存空間が設置され、前記緩衝ロッドの上下両端がそれぞれ前記気体保存空間の中に延びており、前記気体保存空間の左右両側内壁の中には換気通路が対称に且つ前記気体保存空間と連通するように設置され、前記換気通路の中には換気バルブが固定的に設置され、両側の前記換気バルブが互いに逆方向に開口しており、片側の前記換気バルブが前記気体保存空間に開口しており、もう片側の前記換気バルブが前記空き空間に開口しており、前記緩衝箱において対称中心から離れた一端には連結ロッドが固定的に連結され、前記空き空間の内壁の中には八つのローラー溝が前記空き空間と連通するように形成され、前記連結ロッドがばね溝の中に延びて前記ばね溝に沿ってスライドでき、前記連結ロッドと前記ばね溝の内壁との間には緩衝ばねが固定的に連結され、輸送車両が上下に振動するとき、前記緩衝ロッドが上下に振動し、これにより前記気体保存空間の中の気体を押し、二つの前記換気バルブにより前記気体保存空間の中に気体を入れるまたは前記気体保存空間から気体を排出することができ、すなわち前記緩衝ロッドが前記気体保存空間の中の気体を押して気圧を増やすとき、片側の前記換気バルブにより前記気体保存空間の中の気体を前記空き空間の中に排出し、前記気体保存空間の中の気圧が減るとき、もう片側の前記換気バルブにより前記空き空間の中から前記気体保存空間の中に気体を入れ、これにより前記気体保存空間の中の気圧の動態バランスを維持し、これにより前記緩衝ロッドの上下に振動する幅を減少し、これにより前記密封板と前記包装箱の上下に振動する幅を減少し、輸送車が傾くとき、前記緩衝ロッドが前記緩衝箱を傾かせ、これにより前記連結ロッドを傾かせ、これにより前記緩衝ばねを押しまたは伸ばし、これにより前記緩衝ばねの弾力作用により前記連結ロッドの傾斜角を減少し、これにより前記緩衝箱と前記緩衝ロッドの傾斜角を減少し、これにより前記密封板と前記包装箱の傾斜角を減少し、これにより前記保存空間の中の薬が漏れることを防止できる。
【００１１】
優選的には、前記緩衝ロッドの中には六つの前記ローラー溝が外部に開口するように形成され、前記ローラー溝の中にはガイドスライド輪が回転できるように設置され、前記ガイドスライド輪の中には固定軸が固定的に連結され、前記固定軸が前記緩衝ロッドに回転できるように連結され、前記ガイドスライド輪の中には外部に開口した環状溝が形成され、前記気体保存空間の内壁の中には六つのガイドスライドレールが固定的に設置され、前記ガイドスライドレールが前記環状溝の中に延びており、前記ガイドスライド輪が前記ガイドスライドレールに沿ってローリングでき、前記緩衝ロッドと前記気体保存空間との間のスライドを案内する。
【発明の効果】
【００１２】
本願発明の有益的な効果は：本願発明は試験管を垂直に挟み、また密封ピストンで密封することにより薬の漏れを防止し、また、空気などの不純物を多く含む気体が試験管に入り、薬を汚染しないように、薬は不活性ガスで満たされた環境に保管され、また、輸送過程において試験管の上下振動の振幅と傾斜角を減少し、薬物を漏れないようにする。
【図面の簡単な説明】
【００１３】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本願発明の全体構造概略図
【図２】図２は図１のＡの拡大概略図
【図３】図３は図１のＢの拡大概略図
【図４】図４は図１のＣ―Ｃ方向の構造概略図
【図５】図５は図１のＤ―Ｄ方向の構造概略図
【図６】図６は図３のＥ―Ｅ方向の構造概略図
【発明を実施するための形態】
【００１５】
医薬品の倒れ防止輸送箱は、箱体１１を含み、前記箱体１１が輸送車両の中に固定されており、前記箱体１１の中には空き空間１２が設置され、前記空き空間１２の中には挟み機構１０１が設置され、前記挟み機構１０１が密封板２８と包装箱３２により五つの試験管３０を挟むことができ、薬が前記試験管３０の中の保存空間２９に保存され、前記挟み機構１０１の中の密封ピストン３８が前記保存空間２９を密封でき、薬と前記試験管３０の外部環境を離隔し、前記密封板２８と前記包装箱３２の間の四つの角には摩擦パッド４８が固定的に設置され、前記空き空間１２の中には四つの緩衝ロッド４６が環状に等間隔に配置されるように、且つ上下にスライドできるように設置され、前記緩衝ロッド４６が前記摩擦パッド４８と接触しており且つ前記密封板２８と前記包装箱３２と連結され、前記緩衝ロッド４６と前記摩擦パッド４８との間の摩擦力は、前記挟み機構１０１が五つの前記試験管３０を挟んだ後の重量に等しいのであり、すなわち、前記緩衝ロッド４６と、前記密封板２８及び前記包装箱３２が相対的な静止を維持でき、前記密封板２８と前記包装箱３２が無重力または過重力作用で前記緩衝ロッド４６と相対的にスライドでき、最終に前記密封板２８と前記包装箱３２が前記緩衝ロッド４６と相対的な静止状態に戻り、前記緩衝ロッド４６の上下両端には緩衝機構１０２が連結され、前記緩衝機構１０２が前記緩衝ロッド４６の上下振動と傾斜を緩衝でき、これにより前記緩衝ロッド４６の振動と傾斜度を減少し、これにより前記挟み機構１０１の中の前記試験管３０の振動と傾斜度が大き過ぎ、薬が前記保存空間２９から漏れることを防止し、前記密封板２８の上端には手動機構１００がねじ山により連結され、手動で前記手動機構１００を制御することにより前記密封板２８を駆動し前記包装箱３２と分離でき、前記空き空間１２の中には止め板５０が回転できるように設置され、前記止め板５０の中には止め板軸５１が固定的に連結され、前記止め板軸５１の左右両端が前記空き空間１２の左右両側内壁に回転できるように連結され、前記止め板５０が前記空き空間１２を閉めるまたは開けることができ、前記箱体１１の上端には排気管２５が固定的に連結され、前記排気管２５の中には排気通路２４が貫通するように設置され、前記排気通路２４が前記空き空間１２に連通され、前記排気通路２４の中にはバルブ２３が固定的に設置され、前記バルブ２３が両方向にオープンすることができ、前記バルブ２３が前記空き空間１２の内部向きにオープンするとき、前記排気通路２４により前記空き空間１２の中に気体を充填でき、前記バルブ２３が前記空き空間１２の外部向きにオープンするとき、前記空き空間１２の中の気体を排出できる。
【００１６】
前記手動機構１００は前記空き空間１２の後側内壁に固定的に連結された支持位置制限板１８を含み、前記支持位置制限板１８の中にはねじロッド１７が回転できるように連結され、前記密封板２８の中には上方に開口したねじ山孔１６が設置され、前記ねじロッド１７の下端が前記ねじ山孔１６の中に延びて前記密封板２８にねじ山により連結され、前記支持位置制限板１８の上側には連結軸１９がスライドできるように且つ回転できるように設置され、前記連結軸１９の中には下方に開口した連結孔２２が設置され、前記連結軸１９の上端が前記箱体１１の外部まで延びており、前記連結軸１９の上端には手動板２０が固定的に連結され、前記手動板２０を押して前記連結軸１９を下方へスライドさせ、これにより前記ねじロッド１７の上端が前記連結孔２２の中に延びて前記連結軸１９と連結され、このとき前記手動板２０を回転させ、これにより前記連結軸１９により前記ねじロッド１７を回転させ、これにより前記密封板２８を昇降させ、前記支持位置制限板１８は前記ねじロッド１７を支持でき、且つ前記密封板２８が上方へスライドするときに前記密封板２８に対し位置制限を行うことができる。
【００１７】
有益的には、前記箱体１１の上端には圧縮ばね２１が固定的に連結され、前記圧縮ばね２１の上端が前記手動板２０に当接しており、前記手動板２０を放し、前記圧縮ばね２１の弾力作用により前記手動板２０を押して上方へスライドさせ、これにより前記連結軸１９を上方へスライドさせて前記ねじロッド１７との連結から離脱させる。
【００１８】
前記挟み機構１０１は前記包装箱３２の中に設置された上方に開口した収納空間３４を含み、前記収納空間３４の中には底板３３が固定的に設置され、前記底板３３の中には上方に開口した五つの凹溝３１が形成され、前記底板３３の上端には五つの支持柱３５が固定的に設置され、前記支持柱３５の上端には挟み板３６が固定的に連結され、前記挟み板３６が前記試験管３０を挟み、前記試験管３０の下端が前記凹溝３１の中に延びており、これにより前記底板３３と前記挟み板３６により前記試験管３０を垂直に維持し、前記密封板２８の中には下方に開口した五つの密封孔３７が設置され、前記試験管３０の上端が前記密封孔３７の中に延びており、前記密封ピストン３８が前記密封孔３７の上側内壁に固定的に連結され、前記挟み板３６と前記底板３３が前記試験管３０を挟んだ後、前記密封板２８が下方へスライドして前記試験管３０の上端を前記密封孔３７の中に延びさせると同時に、前記密封ピストン３８が前記保存空間２９の中に延びて前記保存空間２９を密封する。
【００１９】
有益的には、前記包装箱３２の中には上方に開口したガイド孔２７が左右対称に設置され、前記密封板２８の下端にはガイドロッド２６が左右対称に且つ固定的に連結され、前記ガイドロッド２６が前記ガイド孔２７に沿ってスライドでき、これにより前記試験管３０の上端が前記密封孔３７の中に滑り込むことができ、前記試験管３０の上端が前記密封板２８とぶつかることを防止する。
【００２０】
前記緩衝機構１０２は前記緩衝ロッド４６の上下両端にそれぞれスライドできるように連結された緩衝箱３９を含み、前記緩衝箱３９の中には対称中心に開口した気体保存空間４７が設置され、前記緩衝ロッド４６の上下両端がそれぞれ前記気体保存空間４７の中に延びており、前記気体保存空間４７の左右両側内壁の中には換気通路４１が対称に且つ前記気体保存空間４７と連通するように設置され、前記換気通路４１の中には換気バルブ４０が固定的に設置され、両側の前記換気バルブ４０が互いに逆方向に開口しており、片側の前記換気バルブ４０が前記気体保存空間４７に開口しており、もう片側の前記換気バルブ４０が前記空き空間１２に開口しており、前記緩衝箱３９において対称中心から離れた一端には連結ロッド１３が固定的に連結され、前記空き空間１２の内壁の中には八つのローラー溝４５が前記空き空間１２と連通するように形成され、前記連結ロッド１３がばね溝１５の中に延びて前記ばね溝１５に沿ってスライドでき、前記連結ロッド１３と前記ばね溝１５の内壁との間には緩衝ばね１４が固定的に連結され、輸送車両が上下に振動するとき、前記緩衝ロッド４６が上下に振動し、これにより前記気体保存空間４７の中の気体を押し、二つの前記換気バルブ４０により前記気体保存空間４７の中に気体を入れるまたは前記気体保存空間４７から気体を排出することができ、すなわち前記緩衝ロッド４６が前記気体保存空間４７の中の気体を押して気圧を増やすとき、片側の前記換気バルブ４０により前記気体保存空間４７の中の気体を前記空き空間１２の中に排出し、前記気体保存空間４７の中の気圧が減るとき、もう片側の前記換気バルブ４０により前記空き空間１２の中から前記気体保存空間４７の中に気体を入れ、これにより前記気体保存空間４７の中の気圧の動態バランスを維持し、これにより前記緩衝ロッド４６の上下に振動する幅を減少し、これにより前記密封板２８と前記包装箱３２の上下に振動する幅を減少し、輸送車が傾くとき、前記緩衝ロッド４６が前記緩衝箱３９を傾かせ、これにより前記連結ロッド１３を傾かせ、これにより前記緩衝ばね１４を押しまたは伸ばし、これにより前記緩衝ばね１４の弾力作用により前記連結ロッド１３の傾斜角を減少し、これにより前記緩衝箱３９と前記緩衝ロッド４６の傾斜角を減少し、これにより前記密封板２８と前記包装箱３２の傾斜角を減少し、これにより前記保存空間２９の中の薬が漏れることを防止できる。
【００２１】
有益的には、前記緩衝ロッド４６の中には六つの前記ローラー溝４５が外部に開口するように形成され、前記ローラー溝４５の中にはガイドスライド輪４３が回転できるように設置され、前記ガイドスライド輪４３の中には固定軸４４が固定的に連結され、前記固定軸４４が前記緩衝ロッド４６に回転できるように連結され、前記ガイドスライド輪４３の中には外部に開口した環状溝４９が形成され、前記気体保存空間４７の内壁の中には六つのガイドスライドレール４２が固定的に設置され、前記ガイドスライドレール４２が前記環状溝４９の中に延びており、前記ガイドスライド輪４３が前記ガイドスライドレール４２に沿ってローリングでき、前記緩衝ロッド４６と前記気体保存空間４７との間のスライドを案内する。
【００２２】
下記に図１〜６に合わせて本願発明の使用ステップを詳しく説明する：
初期状態では、止め板５０が開いた状態にあり、密封板２８が連結されていない状態にあり、挟み板３６と底板３３が試験管３０をまだ挟んでいなく、連結軸１９がねじロッド１７と連結されていない。
【００２３】
使用するとき、試験管３０を挟み板３６と底板３３との間に挿入し、試験管３０の下端が底板３３の中の凹溝３１に連結され、挟み板３６と底板３３により試験管３０を垂直状態に維持させ、このとき止め板５０を閉め、また排気通路２４により空き空間１２から気体を吸い、これにより空き空間１２の中の空気を箱体１１の外部へ排出し、このとき手動板２０を押し、これにより連結軸１９を下方へスライドさせてねじロッド１７と連結させ、このとき圧縮ばね２１を圧縮し、手動板２０を回転させ、これにより連結軸１９を回転させ、これによりねじロッド１７を回転させ、これにより密封板２８を下方へスライドさせ、ガイドロッド２６がガイド孔２７に沿ってスライドし、これにより試験管３０の上端が正確に密封孔３７の中に滑り込むことができ、密封ピストン３８が保存空間２９の中に滑り込んで保存空間２９を密封し、このとき手動板２０を放し、これにより圧縮ばね２１の弾力作用により手動板２０を上昇させ、これにより連結軸１９とねじロッド１７とを連結から離脱させ、このとき排気通路２４により空き空間１２の中に不活性ガスを入れる。
【００２４】
輸送過程において車両が上下に振動するとき、緩衝ロッド４６が上下に振動し、これにより気体保存空間４７の中の気体を押し、二つの換気バルブ４０により気体保存空間４７の中に気体を入れるまたは気体保存空間４７から気体を排出することができ、すなわち緩衝ロッド４６が気体保存空間４７の中の気体を押して気圧を増やすとき、片側の換気バルブ４０により気体保存空間４７の中の気体を空き空間１２の中に排出し、気体保存空間４７の中の気圧が減るとき、もう片側の換気バルブ４０により空き空間１２の中から気体保存空間４７の中に気体を入れ、これにより気体保存空間４７の中の気圧の動態バランスを維持し、これにより緩衝ロッド４６の上下に振動する幅を減少し、これにより密封板２８と銭包装箱３２の上下に振動する幅を減少し、輸送車が傾くとき、緩衝ロッド４６が緩衝箱３９を傾かせ、これにより連結ロッド１３を傾かせ、これにより緩衝ばね１４を押しまたは伸ばし、これにより緩衝ばね１４の弾力作用により連結ロッド１３の傾斜角を減少し、これにより緩衝箱３９と緩衝ロッド４６の傾斜角を減少し、これにより密封板２８と包装箱３２の傾斜角を減少し、これにより保存空間２９の中の薬が漏れることを防止できる。
【００２５】
以上の方式により、当業者が本願発明の範囲内において作業モジュールにより各種の変更を行うことができる。
【要約】
【課題】本発明は医薬品の倒れ防止輸送箱を開示した。
【解決手段】
箱体を含み、前記箱体が輸送車両の中に固定されており、前記箱体の中には空き空間が設置され、前記空き空間の中には挟み機構が設置され、前記挟み機構が密封板と包装箱により五つの試験管を挟むことができ、薬が前記試験管の中の保存空間に保存され、前記挟み機構の中の密封ピストンが前記保存空間を密封でき、薬と前記試験管の外部環境を離隔し、前記密封板と前記包装箱の間の四つの角には摩擦パッドが固定的に設置され、前記空き空間の中には四つの緩衝ロッドが環状に等間隔に配置されるように、且つ上下にスライドできるように設置され、前記緩衝ロッドが前記摩擦パッドと接触しており且つ前記密封板と前記包装箱と連結されている。
【選択図】図１【図１】
0006807513.tif 000002
【図２】
0006807513.tif 000003
【図３】
0006807513.tif 000004
【図４】
0006807513.tif 000005
【図５】
0006807513.tif 000006
【図６】
0006807513.tif 000007